(57)【要約】【課題】髪を巻く太さを変えることができ、且つ髪を巻き易くしたヘアカーラーを実現する。【解決手段】ヘアカーラー１として、髪を巻き付ける複数の屈曲可能な筒状体２を両端で連結して環状本体１０を成し、各筒状体２の少なくとも一つの太さが異なるようにしており、環状本体１０の開口部１１をその中央付近で閉じるように変形して細長棒状に近い形状にすると共にその中央付近に髪を巻き付けるようにし、その中央付近の両側に位置する髪を巻き付けていない部分の一側を他側の開口部１１に挿入係止させて巻き付けた髪を固定するようにした。【選択図】図１
2017144199.tif 000002
【特許請求の範囲】
【請求項１】
髪を巻き付ける複数の屈曲可能な筒状体を両端で連結して環状本体を成すと共に、前記各筒状体の少なくとも一つの太さが異なるようにし、前記環状本体の開口部をその中央付近で閉じるように変形して細長棒状に近い形状にすると共にその中央付近に髪を巻き付けるようにし、その中央付近の両側に位置する髪を巻き付けていない部分の一側を他側の前記開口部に挿入係止させて巻き付けた髪を固定するようにしたことを特徴とするヘアカーラー。
【請求項２】
前記各筒状体をニットで編成したことを特徴とする請求項１記載のヘアカーラー。
【請求項３】
複数の前記筒状体は髪を太く巻き付ける一対の太巻筒状体及び髪を細く巻き付ける一対の細巻筒状体から成り、前記環状本体の前記開口部を閉じる方向に変形した際、前記開口部の中央付近において対同士で対向するようにしたことを特徴とする請求項１及び請求項２の何れか記載のヘアカーラー。
【発明の詳細な説明】
【技術分野】
【０００１】  本発明は、髪を巻き付けて癖付けするためのヘアカーラーに関するものである。
【背景技術】
【０００２】  従来のヘアカーラーは、髪を巻く筒状体と巻いた髪を固定するゴム紐を備えて髪を癖付けすることができるようにしたものがあり、この筒状体の太さを異ならせて複数設けると共にこれらの筒状体の一端を連結して一体化し、髪を細巻きにする場合は細い方の筒状体を使用し、髪を太巻きにする場合は太い方の筒状体を使用して、髪に変化のあるカールを付けることも可能である（例えば特許文献１を参照。）。
【先行技術文献】
【特許文献】
【０００３】
【特許文献１】特開２００５−０５８７０２号公報
【発明の概要】
【発明が解決しようとする課題】
【０００４】  しかし、前述したような従来のヘアカーラーだと、例えば細い方の筒状体だけで髪を巻く場合、太い方の筒状体は邪魔になって巻きにくくなってしまい、また太い筒状体だけで髪を巻く場合も同じく、細い筒状体は妨げとなって髪を巻きにくくなるのが問題であった。【０００５】  そこで本発明は、このような従来の構成が有していた問題を解決するものであり、髪を巻く太さを変えることができ、且つ髪を巻き易くしたヘアカーラーを実現することを目的とするものである。
【課題を解決するための手段】
【０００６】  すなわち、本発明のヘアカーラーは、髪を巻き付ける複数の屈曲可能な筒状体を両端で連結して環状本体を成すと共に、前記各筒状体の少なくとも一つの太さが異なるようにし、前記環状本体の開口部をその中央付近で閉じるように変形して細長棒状に近い形状にすると共にその中央付近に髪を巻き付けるようにし、その中央付近の両側に位置する髪を巻き付けていない部分の一側を他側の前記開口部に挿入係止させて巻き付けた髪を固定するようにしたことを主な特徴としている。【０００７】  また、本発明のヘアカーラーとして、前記各筒状体をニットで編成したものとしてもよい。【０００８】  さらに、本発明のヘアカーラーとして、複数の前記筒状体は髪を太く巻き付ける一対の太巻筒状体及び髪を細く巻き付ける一対の細巻筒状体から成り、前記環状本体の前記開口部を閉じる方向に変形した際、前記開口部の中央付近において対同士で対向するようにしてもよい。
【発明の効果】
【０００９】  上述したように本発明のヘアカーラーは、従来のものとは異なり、前記環状本体の前記開口部を閉じる方向に変形して細長棒状に近い形状になるため、髪を巻き付けなかった前記筒状体があったとしても、その筒状体が細長棒状に近い形状になった前記環状本体の一部と化しているので髪を巻き易く、且つその筒状体が髪を巻き付けた後の前述した係止の役割を果たすので無駄がない。また、前記各筒状体の少なくとも一つの太さが異なるようにしているので、髪を巻き付ける太さを異ならせて変化のあるヘアスタイルにすることができる。よって、本発明のヘアカーラーは、髪を巻き付ける太さを変化させながら巻き易く、しかも環状のシンプルな形状となってデザイン性が高まる。【００１０】  また、本発明のヘアカーラーとして、前記各筒状体をニットで編成したものにするなら、ソックスなど筒状のものを製造できる自動編み機により製造することができ、製造コストを抑えて量産できる。さらに、ニットは髪が巻き付き易い素材であるため容易に髪を巻き付けられる。【００１１】  さらに、本発明のヘアカーラーとして、複数の前記筒状体は髪を太く巻き付ける一対の太巻筒状体及び髪を細く巻き付ける一対の細巻筒状体から成り、前記環状本体の前記開口部を閉じる方向に変形した際、前記開口部の中央付近において対同士で対向するようにするなら、太さの違う前記各筒状体の連結している部分の段差を避けることができ、髪を略均一の太さで安定して巻付け易くなる。
【図面の簡単な説明】
【００１２】
【図１】本発明の一実施形態を示す平面図である。
【図２】本発明の環状本体を変形させた状態の一実施形態を示す平面図である。
【図３】本発明の環状本体を変形させた状態の一実施形態を示す平面図である。
【図４】本発明の金型形成の場合における一実施形態を示すＡ−Ａ断面図である。
【図５】本発明の布やニットで編成した場合における一実施形態を示すＡ−Ａ断面図である。
【図６】本発明の布やニットで編成した場合の筒状体を合わせた状態の一実施形態を示す断面図である。
【図７】本発明の髪を巻き付ける時の状態の一実施形態を示す使用説明図である。
【図８】本発明の髪を巻き付ける時の状態の一実施形態を示す使用説明図である。
【図９】本発明の髪を巻き付ける時の状態の一実施形態を示す使用説明図である。
【図１０】本発明の髪を巻き付けた後の状態の一実施形態を示す使用説明図である。
【図１１】本発明の髪を巻き付けた後の状態の一実施形態を示す使用説明図である。
【発明を実施するための形態】
【００１３】  以下に、本発明のヘアカーラーを図面に基づき詳細に説明する。図１及び図４の一実施形態で示したように、本発明のヘアカーラー１は、髪を巻き付ける複数の屈曲可能な筒状体２を両端で連結して環状本体１０を構成したものであり、図７〜図９に示すように前記各筒状体２に髪を巻き付け、その後図１０及び図１１に示すように巻き付けた髪を固定するものである。
【００１４】  前記屈曲可能な各筒状体２は、弾性を有する素材であることが望ましく、例えば弾性を有する軟質のゴムや樹脂、また発泡性の樹脂などで金型により一体形成することができる。これにより本発明のヘアカーラー１は量産し易くなる。
【００１５】  または図５に示すように前記各筒状体２は、伸縮性のある布やニットで編成したものなどを使用し、カーリングを発生させて内側に巻き込んで筒形状にしたものであってもよい。
【００１６】  また前記各筒状体２は、それらのうち少なくとも一つの太さが異なるようにしている。そして、図２及び図３に示すように前記環状本体１０の開口部１１をその中央付近で閉じるように変形して細長棒状に近い形状にすると共に、図７〜図９に示すようにその中央付近に髪を挟みつつ巻き付けてから、その中央付近の両側に位置する髪を巻き付けていない部分の一側を他側の前記開口部１１に挿入係止させて巻き付けた髪を固定するようにしている。
【００１７】  このように本発明のヘアカーラー１は、従来のものとは異なり、前記環状本体１０の前記開口部１１を閉じる方向に変形して細長棒状に近い形状になるので、髪を巻き付けなかった前記筒状体２があったとしても、その箇状体２が細長棒状に近い形状になった前記環状本体１０の一部と化しているので髪を巻き易く、且つその筒状体２が髪を巻き付けた後の係止の役割を果たすので無駄がない。また、前記各筒状体２の少なくとも一つの太さが異なるようにしているので、髪を巻き付ける太さを異ならせて変化のあるヘアスタイルにすることができる。よって、本発明のヘアカーラー１は、髪を巻き付ける太さを変化させながら巻き易く、しかも環状のシンプルな形状となってデザイン性が高まる。
【００１８】  また、本発明のヘアカーラー１として、前述したように前記各筒状体２をニットで編成したものとする場合は、前記各筒状体２をパイルまたは擬似パイル構造、或いはワッフル構造やタック構造などにより太さが異なるようにしてもよい。前記各箇状体２をパイルまたは擬似パイル構造とする場合は、パイルのループの大きさやパイルの密集度によって太さを設定することができる。このように、前記各筒状体２をニットで編成するなら、ソックスなど筒状のものを製造できる自動編み機により製造することができ、製造コストを抑えて量産することができる。さらにニットは髪が巻き付き易い素材であるため容易に髪を巻き付けられる。
【００１９】  このように、前記各筒状体２をニットで編成したものとする場合、ソックスと同じように筒状に編成すると共にその両方の開口側でカーリングを発生させると、図５に示すように上下両方から巻き込んで前記各筒状体２の断面が縦長楕円に近い形状になる。そして図６に示すように縦長楕円に近い形状になった二つの前記筒状体２を合わせるとその断面が真円に近い形状になるため、髪を綺麗な真円に近いカール癖になるよう巻き付けることができるのである。尚、ソックスと同じように筒状に編成すると共にその片側の開口側のみでカーリングを発生させてトーラス構造にすることも可能である。
【００２０】  さらに図１〜図３に示すように、本発明のヘアカーラー１として、複数の前記筒状体２は髪を太く巻き付ける一対の太巻筒状体２０・２０及び髪を細く巻き付ける一対の細巻筒状体２１・２１から成り、前記環状本体１０の前記開口部１１を閉じる方向に変形した際、前記開口部１１の中央付近において対同士で対向するようにするなら、太さの違う前記各筒状体２の連結している部分の段差を避けることができ、髪を略均一の太さで安定して巻付け易くなる。
【００２１】  図３に示すように一対の前記太巻筒状体２０・２０を前記環状本体１０の前記開口部１１の中央付近において対同士で対向するなら、図２に示すように一対の前記細巻筒状体２１・２１を前記環状本体１０の前記開口部１１の中央付近において対同士で対向する場合よりも、断然太く髪を巻き付けられて大きなカール癖を付けることができる。
【００２２】  従来、太いカール癖を付ける場合は、その太さそのものの筒状体を設ける必要があった。しかし、本発明のヘアカーラー１は図６に示すようにそのような同じ太さになるよう一対の前記太巻筒状体２０・２０を重合させるが、髪を巻き付けない場合、前記各太巻筒状体２０はその同じ太さの半分であるため、従来のものより格段にコンパクトになる。また、一対の前記細巻筒状体２１・２１に髪を巻き付ける場合、前記各太巻筒状体２０は従来ほど太過ぎることがないため、図８に示すように両手で髪を巻き付ける際に、髪を巻き付けている前記開口部１１の中央付近まで指が届きやすくなり、その結果、髪を巻き付け易くなる。
【００２３】  図３に示すように、一対の前記太巻筒状体２０・２０が前記開口部１１の中央付近において対同士で対向する場合、前記環状本体１０の円周上における前記太巻筒状体２０・２０の長さが短いほど、髪を巻く時に前記細巻筒状体２１・２１の方へ髪が容易に移ってしまい、安定した太さで髪を巻くのが難しくなる。それで図１に示すように、前記太巻筒状体２０・２０の前記環状本体１０の円周上における長さが、前記細巻筒状体２１・２１よりも長くなるようにしてこの問題を軽減することができ、髪を一層巻き易くすることができる。
【符号の説明】
【００２４】    １  ヘアカーラー
１０  環状本体
１１  開口部
２  筒状体
２０  太巻筒状
２１  細巻筒状体
【図１】
2017144199.tif 000003
【図２】
2017144199.tif 000004
【図３】
2017144199.tif 000005
【図４】
2017144199.tif 000006
【図５】
2017144199.tif 000007
【図６】
2017144199.tif 000008
【図７】
2017144199.tif 000009
【図８】
2017144199.tif 000010
【図９】
2017144199.tif 000011
【図１０】
2017144199.tif 000012
【図１１】
2017144199.tif 000013